(57)【特許請求の範囲】
【請求項１】
軟弱地盤の覆土用の四辺形状のシートと、このシートに重ね合わせた、格子状に組んだ四辺形状の格子状ロープと、上記四辺形状の格子状ロープの四辺に連結されると共に、上記シートに連結される棒状部材とにより形成される棒組ロープネットよりなり、
上記棒組ロープネットは、隣接する他の棒組ロープネットに連結具により連結されて、軟弱地盤上に敷設される覆土用ロープネットを作成することを特徴とする軟弱地盤の覆土用ロープネット作成用の棒組ロープネット。
【請求項２】
軟弱地盤の覆土用の四辺形状のシートと、このシートに重ね合わせた、格子状に組んだ四辺形状の格子状ロープと、上記四辺形状の格子状ロープの四辺に連結されると共に、上記シートに連結される棒状部材とにより形成される棒組ロープネットの複数が連結することにより作成される帯状ロープネットよりなり、
上記帯状ロープネットは、互いに隣接する上記各棒組ロープネットの先端部と後端部とが連結具により連結されることにより作成されると共に、
該帯状ロープネットの各端部が軟弱地盤周囲の一方の陸部及び上記一方の陸部に対向する、上記軟弱地盤周囲の他方の陸部に固定されて上記軟弱地盤上に敷設されることを特徴とする軟弱地盤の覆土用ロープネット。
【請求項３】
軟弱地盤周囲の一方の陸部において、軟弱地盤の覆土用の四辺形状のシート部分上に、格子状に組んだ四辺形状の第１の格子状ロープを重ね合わせ、この四辺形状の第１の格子状ロープの四辺に棒状部材を連結すると共に、この棒状部材を上記シート部分に連結し、上記シート部分と上記第１の格子状ロープと上記棒状部材とによりなる第１の棒組ロープネットを作成し、上記一方の陸部に対向する、上記軟弱地盤周囲の他方の陸部から上記第１の棒組ロープネットを引き、上記第１の棒組ロープネットを上記軟弱地盤上に引き出す第一の工程と、
上記一方の陸部において、軟弱地盤の覆土用の四辺形状の他のシート部分上に、格子状に組んだ四辺形状の他の格子状ロープを重ね合わせ、この四辺形状の他の格子状ロープの四辺に他の棒状部材を連結すると共に、この他の棒状部材を上記他のシート部分に連結し、上記他のシート部分と上記他の格子状ロープと上記他の棒状部材とによりなる他の棒組ロープネットを作成し、上記軟弱地盤上に引き出された棒組ロープネットの後端部と上記他の棒組ロープネットの前端部を連結し、上記他方の陸部から上記第１の棒組ロープネットを引き、上記他の棒組ロープネットを上記軟弱地盤上に引き出す第二の工程と、
上記第１の棒組ロープネットが上記他方の陸部に引き出されるまで、上記第二の工程を繰り返し、上記第１の棒組ロープネットと最後に連結された棒組ロープネットの各端部を陸部に固定し、上記軟弱地盤上に複数の棒組ロープネットが連結された帯状ロープネットを敷設する第三の工程と
よりなることを特徴とする軟弱地盤の覆土用ロープネットの敷設方法。
【請求項４】
上記帯状ロープネットに隣接して他の帯状ロープネットを軟弱地盤上に更に敷設し、上記帯状ロープネットと上記他の帯状ロープネットとを連結する第四の工程を更に有することを特徴とする請求項３記載の軟弱地盤の覆土用ロープネットの敷設方法。
【発明の詳細な説明】
【技術分野】
【０００１】
本発明は軟弱地盤の覆土用ロープネット、ロープネット作成用の棒組ロープネット及びロープネットの敷設方法、特に、陸搬施工における、軟弱地面上に覆土するために用いる覆土用ロープネット、ロープネット作成用の棒組ロープネット及びロープネットの敷設方法に関するものである。
【背景技術】
【０００２】
人の歩行も困難な超軟弱地盤を土地として利用するためには、その地盤上に覆土を行う必要がある。そして、その地盤上に覆土を行うためには、覆土のために撒き出した土が、地盤内に大きくめり込まないように、その地盤表面を、例えば、シートと格子状のロープからなるロープネットを敷き広げて補強を行う。
【０００３】
このロープネットにおいて、格子状のロープの張力は、ロープネットが必要とする張力からシートの張力を差し引いた分の張力となるので、ロープの格子間隔を０．５ｍ〜１．０ｍの間で変化させることにより、ロープの本数を調整でき、より経済的なロープを採用できるという特徴がある。
【０００４】
このロープネットを、１００ｍ以上の大きな浚渫土の処分場（大きな埋立地）に用いる場合、その埋立地内に中仕切堤を設けて、例えば、１００ｍ四方以内の大きさに区切り、この区切りごとに、シートを敷き、そして、０．５ｍ〜１．０ｍの間の一定間隔で、長さ１００ｍ以上のロープを縦、横に必要本数渡し、足場の悪いシート上で、人力により縦ロープと横ロープの格子点を結んでいた。
【０００５】
或いは、陸上で１００ｍ以上の格子状ロープを作成し、これを重機等で軟弱地盤上に引き出していた。
【発明の概要】
【発明が解決しようとする課題】
【０００６】
しかしながら、中仕切堤の作成は経済性が悪いという欠点があった。
【０００７】
また、上記シート上は足場が悪いので、人力により縦ロープ、横ロープの格子点を結ぶ方法は、非効率であった。
【０００８】
また、陸上で１００ｍ以上の格子ロープを作成し、重機等で軟弱地盤上に引き出す方法は、巨大な格子状のロープが非常に重いので、大きな重機が必要であった。
【０００９】
本発明は上記の欠点を除くようにしたものである。
【課題を解決するための手段】
【００１０】
本発明の軟弱地盤の覆土用ロープネット作成用の棒組ロープネットは、軟弱地盤の覆土用の四辺形状のシートと、このシートに重ね合わせた、格子状に組んだ四辺形状の格子状ロープと、上記四辺形状の格子状ロープの四辺に連結されると共に、上記シートに連結される棒状部材とにより形成される棒組ロープネットよりなり、上記棒組ロープネットは、隣接する他の棒組ロープネットに連結具により連結されて、軟弱地盤上に敷設される覆土用ロープネットを作成することを特徴とする。また、本発明の軟弱地盤の覆土用ロープネットは、軟弱地盤の覆土用の四辺形状のシートと、このシートに重ね合わせた、格子状に組んだ四辺形状の格子状ロープと、上記四辺形状の格子状ロープの四辺に連結されると共に、上記シートに連結される棒状部材とにより形成される棒組ロープネットの複数が連結することにより作成される帯状ロープネットよりなり、上記帯状ロープネットは、互いに隣接する上記各棒組ロープネットの先端部と後端部とが連結具により連結されることにより作成されると共に、該帯状ロープネットの各端部が軟弱地盤周囲の一方の陸部及び上記一方の陸部に対向する、上記軟弱地盤周囲の他方の陸部に固定されて上記軟弱地盤上に敷設されることを特徴とする。
【００１１】
また、本発明の軟弱地盤の覆土用ロープネットの敷設方法は、軟弱地盤周囲の一方の陸部において、軟弱地盤の覆土用の四辺形状のシート部分上に、格子状に組んだ四辺形状の第１の格子状ロープを重ね合わせ、この四辺形状の第１の格子状ロープの四辺に棒状部材を連結すると共に、この棒状部材を上記シート部分に連結し、上記シート部分と上記第１の格子状ロープと上記棒状部材とによりなる第１の棒組ロープネットを作成し、上記一方の陸部に対向する、上記軟弱地盤周囲の他方の陸部から上記第１の棒組ロープネットを引き、上記第１の棒組ロープネットを上記軟弱地盤上に引き出す第一の工程と、上記一方の陸部において、軟弱地盤の覆土用の四辺形状の他のシート部分上に、格子状に組んだ四辺形状の他の格子状ロープを重ね合わせ、この四辺形状の他の格子状ロープの四辺に他の棒状部材を連結すると共に、この他の棒状部材を上記他のシート部分に連結し、上記他のシート部分と上記他の格子状ロープと上記他の棒状部材とによりなる他の棒組ロープネットを作成し、上記軟弱地盤上に引き出された棒組ロープネットの後端部と上記他の棒組ロープネットの前端部を連結し、上記他方の陸部から上記第１の棒組ロープネットを引き、上記他の棒組ロープネットを上記軟弱地盤上に引き出す第二の工程と、上記第１の棒組ロープネットが上記他方の陸部に引き出されるまで、上記第二の工程を繰り返し、上記第１の棒組ロープネットと最後に連結された棒組ロープネットの各端部を陸部に固定し、上記軟弱地盤上に複数の棒組ロープネットが連結された帯状ロープネットを敷設する第三の工程とよりなることを特徴とする。
【００１２】
また、上記帯状ロープネットに隣接して他の帯状ロープネットを軟弱地盤上に更に敷設し、上記帯状ロープネットと上記他の帯状ロープネットとを連結する第四の工程を更に有することを特徴とする。
【発明の効果】
【００１３】
本発明の軟弱地盤の覆土用ロープネット、ロープネット作成用の棒組ロープネットによれば、各棒組ロープネットはそれぞれ人が乗れる強度の足場を確保できるので、既に敷設された棒組ロープネットに人が乗って、隣接する棒組ロープネット間を互いに連結することができる。これにより、施工の効率化を図る事ができるという大きな利益がある。
【００１４】
また、本発明の軟弱地盤の覆土用ロープネットの敷設方法によれば、例えば、２００ｍ〜３００ｍの広い埋立地であっても、中仕切堤を作成せずに、軟弱地盤上にロープネットを敷設できるので、経済性が良いという利益がある。
【図面の簡単な説明】
【００１５】
【図１】本発明の軟弱地盤の覆土用ロープネットの平面図である。
【図２】本発明の軟弱地盤の覆土用ロープネットの一部分を示す斜視図である。
【図３】本発明の軟弱地盤の覆土用ロープネットの棒組ロープネットの斜視図である。
【図４】本発明の軟弱地盤の覆土用ロープネットの敷設方法の説明図である。
【図５】本発明の軟弱地盤の覆土用ロープネットの敷設方法の説明図である。
【図６】本発明の軟弱地盤の覆土用ロープネットの敷設方法の説明図である。
【図７】本発明の軟弱地盤の覆土用ロープネットの敷設方法の説明図である。
【図８】本発明の軟弱地盤の覆土用ロープネットの敷設方法の説明図である。
【図９】本発明の軟弱地盤の覆土用ロープネットの敷設方法の説明図である。
【図１０】本発明の軟弱地盤の覆土用ロープネットの敷設方法の説明図である。
【図１１】本発明の軟弱地盤の覆土用ロープネットの敷設方法の説明図である。
【図１２】本発明の軟弱地盤の覆土用ロープネットの敷設方法の説明図である。
【図１３】本発明の軟弱地盤の覆土用ロープネットの敷設方法の他の実施例の説明図である。
【発明を実施するための形態】
【００１６】
以下図面によって本発明の実施例を説明する。
【実施例１】
【００１７】
図１及び図２は、本発明の軟弱地盤の覆土用ロープネットを示し、１は、例えば、２００ｍ×４００ｍの広さの浚渫土が埋められた埋立地などの軟弱地盤、２は、上記軟弱地盤１上に敷設された、後述する複数の棒組ロープネット、３は、隣接した上記棒組ロープネット２間を互いに連結する、例えば、ポリプロピレン製のロープなどの連結具である。
【００１８】
また、図３は、隣接する棒組ロープネットに連結されていない、単体の上記棒組ロープネット２を示し、４は、軟弱地盤の覆土用の四辺形状の、例えば、幅１０ｍ、長さ１０ｍのポリプロピレン製のシート、５は、例えば、ポリプロピレン製のロープを格子状に組んで四辺形状に形成した、例えば、幅１０ｍ、長さ１０ｍの格子状ロープ、６は、上記四辺形状の格子状ロープ４の四辺にそれぞれ連結されると共に、上記シート４に例えば、ポリプロピレン製の連結ロープ７を介して連結される竹や合成樹脂製などの剛性のある棒状部材である。
【００１９】
また、図２に示すように、上記連結具３により、上記棒組ロープネット２に連結された棒状部材６と、これに隣接する他の棒組ロープネット２に連結された棒状部材６とが連結されている。
【００２０】
なお、上記シート４は、幅１０ｍ、長さ１０ｍではなく、例えば、幅１０ｍ、長さ５０ｍであってもよく、この場合には、上記シート４の各シート部分上に、それぞれ幅１０ｍ、長さ１０ｍの格子状ロープ５が並列して重ねられ、各棒状ロープネット２が形成される。
【００２１】
次に、本発明の軟弱地盤上のシートの敷設方法を説明する。
【００２２】
図４及び図５に示すように、軟弱地盤１の周囲の一方の陸部８ａにおいて、長さ方向において折り畳まれた、例えば、幅１０ｍ、長さ５０ｍの四辺形状のシート４を配置し、上記シート４を長さ方向において１０ｍだけ展開する。なお、４ａは、上記シート４の折り畳まれたシート部分を示し、４ｂは、上記シート４の展開されたシート部分を示す。
【００２３】
次に、予め、ロープ製造工場などで作成した、例えば、０．５ｍ〜１．０ｍの間の一定間隔で格子状に組んだ、幅１０ｍ、長さ１０ｍの四辺形状の格子状ロープ５の複数を、上記一方の陸部８ａに搬入し、上記展開したシート４ｂ上に第１の格子状ロープ５を広げて、重ね合わせる。
【００２４】
次に、上記四辺形状の第１の格子状ロープ５の四辺にそれぞれ棒状部材６を連結すると共に、上記棒状部材６と上記シート部分４ｂとを連結ロープ７により連結し、上記シート部分４ｂと上記第１の格子状ロープ５と上記棒状部材６とよりなる第１の棒組ロープネット２を作成する。
【００２５】
次に、上記第１の棒組ロープネット２の先端部の棒状部材６に牽引ロープ９を連結し、この牽引ロープ９を、上記一方の陸部８ａに対向する、上記軟弱地盤１周囲の他方の陸部８ｂに設けたバックホウなどの重機１０で引っ張り、図６に示すように、上記第１の棒組ロープネット２を上記軟弱地盤１上に例えば、５ｍ程度引き出す。
【００２６】
なお、上記第１の棒組ロープネット２を引っ張る際、上記折り畳まれたシート部分４ａを、長さ方向において更に１０ｍだけ展開し、上記一方の陸部８ａ上に第２のシート部分４ｂを展開する。
【００２７】
次に、図７に示すように、上記新たに展開した第２のシート部分４ｂ上に四辺形状の第２の格子状ロープ５を広げて、重ね合わせ、上記と同様に、上記第２の格子状ロープ５の四辺に第２の棒状部材６を連結すると共に、上記第２の棒状部材６と上記第２のシート部分４ｂとを連結ロープ７により連結し、これにより第２の棒組ロープネット２を作成する。
【００２８】
次に、上記第１の棒組ロープネット２の後端部に連結された棒状部材６と、上記第２の棒組ロープネット２の先端部に連結された棒状部材６とを連結具３により連結し、上記他方の陸部８ｂから、上記第１の棒組ロープネット２を重機１０により更に引っ張り、図８に示すように、上記第２の棒組ロープネット２を上記軟弱地盤１上に例えば、５ｍ程度まで引き出す。
【００２９】
次に、更に展開した第３のシート部分４ｂ上に、四辺形状の第３の格子状ロープ５を広げて、上記同様に、第３の棒組ロープネット２を作成して、上記第２の棒組ロープネット２の後端部に連結された棒状部材６と、上記第３の棒組ロープネット２の先端部に連結された棒状部材６とを連結具３により連結し、上記他方の陸部８ｂから、上記第１の棒組ロープネット２を重機１０により更に引っ張り、上記第３の棒組ロープネット２を上記軟弱地盤１上に例えば、５ｍ程度まで引き出す。
【００３０】
これを、上記第１の棒組ロープネット２の先端部が上記他方の陸部８ｂにまで引き出されるまで繰り返し、上記第１の棒組ロープネット２と、最後に連結された棒組ロープネット２の各端部をそれぞれ陸部８ａ、８ｂに固定して、図９に示すように、第１の帯状ロープネット１１を作成させる。
【００３１】
なお、棒組ロープネット２の端部を陸部に固定する方法は、例えば、陸部に固定した木杭に上記第１の棒組ロープネット２の先端部及び、最後に連結された棒組ロープネット２の後端部を固定するようにする。
【００３２】
又は、予め、第１の棒組ロープネット２の先端部及び、最後に連結された棒組ロープネット２の後端部に、図１０に示すように、例えば、長さ５ｍ程度の棒組ロープネットを作成しない陸部固定用のシート部分１２を設けておき、その陸部固定用のシート部分１２を、陸部に設けた凹部１３に埋め、更に、シート部分１２の端部を木杭１４に固定するようにする。
【００３３】
なお、上記シート４は、その全てのシート部分で棒組ロープネット２が作成された後は、新たな他のシート４を用いて棒組ロープネット２を作成し、各棒組ロープネット２を連結していく。
【００３４】
次に、図１１及び図１２に示すように、上記第１の帯状ロープネット１１に隣接する上記一方の陸部８ａ上で、上記同様に、棒組ロープネット２を軟弱地盤１上に引き出し、上記一方の陸部８ａと上記他方の陸部８ｂ間において、第２の帯状のロープネットを作成する。
【００３５】
次に、上記第１の帯状ロープネット１１上に人が乗り、上記第１の帯状ロープネット１１と第２帯状のロープネット１１の互いに隣接する部分を連結具３により連結する。
【００３６】
同様にして、第３、第４・・・の帯状ロープネット１１も同様に作成し、以下これを繰り返して、図１に示すように、軟弱地盤１上にロープネットを敷設する。
【００３７】
本発明の軟弱地盤の覆土用ロープネット、ロープネット作成用の棒組ロープネットによれば、各棒組ロープネットはそれぞれ人が乗れる強度の足場を確保できるので、既に敷設された棒組ロープネットに人が乗って、隣接する棒組ロープネット間を互いに連結することができる。これにより、施工の効率化を図る事ができるという大きな利益がある。
【００３８】
また、本発明の軟弱地盤の覆土用ロープネットの敷設方法によれば、例えば、２００ｍ〜３００ｍの広い埋立地であっても、中仕切堤を作成せずに、軟弱地盤上にロープネットを敷設できるので、経済性が良いという利益がある。
【００３９】
なお、図１３に示すように、一方の陸部８ａの複数個所から棒組ロープネット２を上記軟弱地盤１上に敷設していくようにしてもよい。
【００４０】
また、幅１０ｍ、長さ１０ｍの格子状ロープを用いる代わりに、幅３０ｍ、長さ１０ｍの格子状ロープを用いてもよい。なお、この格子状ロープを用いる場合には、幅３０ｍのシート４を用いるようにする。
【符号の説明】
【００４１】
１    軟弱地盤
２    棒組ロープネット
３    連結具
４    シート
４ａ  シート部分
４ｂ  シート部分
５    格子状ロープ
６    棒状部材
７    連結ロープ
８ａ  一方の陸部
８ｂ  他方の陸部
９    牽引ロープ
１０  重機
１１  帯状ロープネット
１２  シート部分
１３  凹部
１４  木杭
【図１】
0005748497.tif 000002
【図２】
0005748497.tif 000003
【図３】
0005748497.tif 000004
【図４】
0005748497.tif 000005
【図５】
0005748497.tif 000006
【図６】
0005748497.tif 000007
【図７】
0005748497.tif 000008
【図８】
0005748497.tif 000009
【図９】
0005748497.tif 000010
【図１０】
0005748497.tif 000011
【図１１】
0005748497.tif 000012
【図１２】
0005748497.tif 000013
【図１３】
0005748497.tif 000014